(57)【特許請求の範囲】
【請求項１】
薬剤内容物を収容し、薬瓶ストッパによって栓をされる薬瓶開口部を有する薬瓶ボトルを備える薬瓶とともに使用するための液剤移送アセンブリであって、
（ａ）前記薬瓶ストッパを穿刺するための薬瓶ストッパ穿刺先端を有する薬瓶ストッパ穿刺部材と、
（ｂ）長手方向の薬瓶アダプタ軸線を有する薬瓶アダプタと
を備え、
前記薬瓶アダプタは、薬瓶アダプタスカートと薬瓶アダプタスリーブとを備え、
前記薬瓶アダプタスカートは、直立した薬瓶アダプタポートを有して形成された横方向に向けられた薬瓶アダプタ頂面と、前記薬瓶開口部を密接に受け入れるための薬瓶アダプタ本体部分と、前記薬瓶アダプタ頂面から離れた薬瓶アダプタスカート縁部と、を有し、
前記薬瓶アダプタスリーブは、前記薬瓶アダプタ頂面から前記直立した薬瓶アダプタポートと反対側に垂下しており、該直立した薬瓶アダプタポートと流れ連通し、
前記薬瓶アダプタは、前記薬瓶ストッパ穿刺先端が前記薬瓶アダプタスリーブを越えて突出するように、前記薬瓶ストッパ穿刺部材に摺動的に配置され、
前記配置は、前記液剤移送アセンブリを前記薬瓶に取り付けた際に、前記薬瓶ストッパ穿刺部材が前記薬瓶ストッパを穿刺して貫通穿刺穴を形成し、前記薬瓶アダプタスリーブが前記貫通穿刺穴と直線上に並ぶような配置であり、それによって、前記薬瓶ストッパ穿刺部材を前記貫通穿刺穴から引き抜く際に前記薬瓶アダプタスリーブが前記薬瓶ストッパの自己シールを防止し、それによって、前記薬瓶アダプタポートと前記薬瓶ボトルとの間の流れ連通を可能にする
液剤移送アセンブリ。
【請求項２】
請求項１に記載のアセンブリであって、
前記薬瓶アダプタスカートと前記薬瓶アダプタポートと前記薬瓶アダプタスリーブとは、同一のプラスチック材料によってプラスチック射出成形された単一のユニットとして形成された
アセンブリ。
【請求項３】
請求項１に記載のアセンブリであって、
前記薬瓶アダプタスリーブは、前記薬瓶アダプタスカートに取り付けられ、該薬瓶アダプタスカートとは異なる材料によって形成された
アセンブリ。
【請求項４】
請求項１ないし請求項３のいずれか一項に記載のアセンブリであって、
前記薬瓶ストッパ穿刺部材は、前記薬瓶ストッパの前記穿刺の際に前記薬瓶ボトルへの流れ連通アクセスを可能にするための、液剤アクセスポートと長手方向内腔とを備える
アセンブリ。
【請求項５】
請求項４に記載のアセンブリであって、
前記薬瓶ストッパ穿刺部材は、インラインフィルタを備える
アセンブリ。
【請求項６】
前記薬剤内容物に添加して液剤内容物を形成するための液体内容物を収容し、液瓶ストッパによって栓をされる液瓶開口部を有する液瓶ボトルを備えた液瓶とともに追加的に使用するための請求項１ないし請求項３のいずれか一項に記載のアセンブリであって、
前記薬瓶ストッパ穿刺部材は、液瓶アダプタと一体的に形成された２端部２内腔線形移送スパイクとして形成され、
前記液瓶アダプタは、横方向に向けられた液瓶アダプタ頂面と、前記液瓶開口部を密接に受け入れるための液瓶アダプタ本体部分と、を有する液瓶アダプタスカートを備え、
前記２端部２内腔線形移送スパイクは、前記薬瓶ストッパ穿刺部材と反対側に液瓶ストッパ穿刺部材を備え、
前記液瓶ストッパ穿刺部材は、前記液瓶アダプタを前記液瓶に取り付ける際に前記液瓶ストッパを穿刺するための液瓶ストッパ穿刺先端を有し、それによって、前記液瓶アダプタを前記薬瓶アダプタから取り外した際に投与するために液剤内容物を前記薬瓶内に形成するために、最上部の液瓶と最下部の薬瓶との直立した組立体を形成する際に、前記液瓶から前記薬瓶までの重力による液体内容物の流れと、前記薬瓶から前記液瓶までの空気の流れと、を同時に可能にする
アセンブリ。
【請求項７】
前記薬剤内容物に添加して液剤内容物を形成するための液体内容物を収容し、液瓶ストッパによって栓をされる液瓶開口部を有する液瓶ボトルを備えた液瓶とともに追加的に使用するための請求項１ないし請求項３のいずれか一項に記載のアセンブリであって、
前記薬瓶ストッパ穿刺部材は、長手方向軸線を有する２端部２内腔線形移送スパイクの一方の端部として形成され、
前記２端部２内腔線形移送スパイクは、
ｉ）前記液瓶ストッパを穿刺するための液瓶ストッパ穿刺先端を有する、反対方向に向けられた液瓶ストッパ穿刺部材と、
ｉｉ）前記線形移送スパイクに固定的に取り付けられた、横方向に向けられた離隔カラーと、
ｉｉｉ）前記離隔カラーに取り付けられ、前記薬瓶ストッパ穿刺部材から離れて該薬瓶ストッパ穿刺部材と同一方向に延在する、長手方向に向けられた少なくとも２つの薬瓶脚部と、
を備え、
前記少なくとも２つの薬瓶脚部は、前記薬瓶ストッパ穿刺先端とともに延在する薬瓶脚部先端であって、前記薬瓶ストッパ穿刺先端に向けて内側に突出する薬瓶脚部先端のところで終端し、
前記２端部２内腔線形移送スパイクは、さらに、
ｉｖ）前記離隔カラーに取り付けられ、前記液瓶ストッパ穿刺部材から離れて該液瓶ストッパ穿刺部材と同一方向に延在する、長手方向に向けられた少なくとも２つの液瓶脚部
を備え、
前記少なくとも２つの液瓶脚部は、前記液瓶ストッパ穿刺先端とともに延在する液瓶脚部先端であって、前記液瓶ストッパ穿刺先端に向けて内側に突出する液瓶脚部先端のところで終端し、
前記薬瓶アダプタは、前記薬瓶アダプタ頂面が前記離隔カラーに向けられるとともに、前記薬瓶アダプタスカート縁部が前記離隔カラーから離れた状態で、前記薬瓶ストッパ穿刺部材に摺動的に取り付けられ、
前記薬瓶アダプタスカートは、前記薬瓶アダプタスカート縁部が前記薬瓶ストッパ穿刺先端からよりも前記離隔カラーから遠くなるように、最初に前記薬瓶アダプタを前記離隔カラーから間隔を隔てさせるために最初に前記薬瓶脚部先端を受け入れるための複数の薬瓶脚部先端孔を有し、それによって、前記薬瓶アダプタスカートは、前記薬瓶アダプタ本体部分の前記薬瓶開口部を包み込むために、前記薬瓶アダプタを前記離隔カラーに向けて摺動させる際に前記薬瓶開口部上に乗り、前記薬瓶ストッパ穿刺部材は、前記薬瓶ボトルとの流れ連通のために前記薬瓶ストッパを穿刺し、前記薬瓶脚部先端は、前記薬瓶アダプタスカートに沿って前記薬瓶アダプタスカート縁部に向けて摺動し、
前記アセンブリは、さらに、
（ｃ）液瓶アダプタスカートを有する液瓶アダプタを備え、
前記液瓶アダプタスカートは、前記液瓶開口部を密接に受け入れるための液瓶アダプタ本体部分と、液瓶アダプタスカート縁部と、ともに形成された液瓶アダプタ頂面であって、横方向に向けられた液瓶アダプタ頂面を有し、
前記液瓶アダプタは、前記液瓶アダプタ頂面が前記離隔カラーに向けられるとともに、前記液瓶アダプタスカート縁部が前記離隔カラーから離れた状態で、前記液瓶ストッパ穿刺部材に摺動的に配置され、
前記液瓶アダプタスカートは、前記液瓶アダプタスカート縁部が前記液瓶ストッパ穿刺先端からよりも前記離隔カラーから遠くなるように、最初に前記液瓶アダプタを前記離隔カラーから間隔を隔てさせるために最初に前記液瓶脚部先端を受け入れるための複数の液瓶脚部先端孔を有し、それによって、前記液瓶アダプタスカートは、前記液瓶アダプタ本体部分の前記液瓶開口部を包み込むために、前記液瓶アダプタを前記離隔カラーに向けて摺動させる際に前記液瓶開口部上に乗り、前記液瓶ストッパ穿刺部材は、前記液瓶ボトルとの流れ連通のために前記液瓶ストッパを穿刺し、前記液瓶脚部先端は、前記液瓶アダプタスカートに沿って前記液瓶アダプタスカート縁部に向けて摺動する
アセンブリ。
【請求項８】
請求項７に記載のアセンブリであって、
前記２端部２内腔線形移送スパイクおよび前記液瓶アダプタは、前記液瓶アダプタを前記液瓶に取り付ける際に前記２端部２内腔線形移送スパイクを前記液瓶アダプタに機械的に取り付けるためのスナップ嵌め構成を有する
アセンブリ。
【請求項９】
請求項８に記載のアセンブリであって、
前記スナップ嵌め構成は、長手方向に向けられた管状部材であって、前記離隔カラーに向けられた管状部材を有する液瓶アダプタポートによって構成され、
前記離隔カラーは、前記管状部材にスナップ嵌めするための少なくとも１つのスナップ部材を有する
アセンブリ。
【請求項１０】
請求項７ないし請求項９のいずれか一項に記載のアセンブリであって、
前記薬瓶アダプタスカート縁部は、
前記薬瓶アダプタ本体部分に対して外側に広がっており、
前記薬瓶脚部先端を前記薬瓶アダプタスカート縁部に向けて容易に摺動させるための平滑な外部面を備える
アセンブリ。
【請求項１１】
請求項７ないし請求項１０のいずれか一項に記載のアセンブリであって、
前記液瓶アダプタスカート縁部は、
前記液瓶アダプタ本体部分に対して外側に広がっており、
前記液瓶脚部先端を前記液瓶アダプタスカート縁部に向けて容易に摺動させるための平滑な外部面を備える
アセンブリ。
【請求項１２】
請求項７ないし請求項１１のいずれか一項に記載のアセンブリであって、
前記液剤移送アセンブリは、ブリスターパックに包装され、
前記液瓶脚部の各々は、前記ブリスターパックの内部面に当接するための、外側に向けられた少なくとも１つの液瓶脚部突出部を有する
アセンブリ。
【発明の詳細な説明】
【技術分野】
【０００１】
本発明は、液剤の復元および投与を行うための液剤移送アセンブリに関する。
【背景技術】
【０００２】
２端部２内腔（２つの端部と２つの内腔とを有する）線形移送スパイクは、典型的には、液剤投与の目的で液剤内容物を薬瓶内に形成するために、液体内容物を収容する液瓶から薬剤内容物を収容する薬瓶まで重力によって液体を移送し、同時に、均圧化のために薬瓶から液瓶まで空気を移送するために使用される。移送スパイクは、一般ユーザ、特に家庭ユーザに危険をもたらす鋭利なバイアルストッパ穿刺先端を有する、露出した薬瓶ストッパ穿刺部材および液瓶ストッパ穿刺部材を備えている。さらに、移送スパイクをバイアルストッパと正確に中心合わせし正しく挿入して、バイアル内部との流れ連通のために移送スパイクを正しくバイアルストッパに穿刺させることは困難である。しかも、ユーザは、液剤内容物を吸引するために、手動操作によって移送スパイクを取り外し、他の手段、例えば、ニードルを使用する必要がある。このことは、面倒な作業になり得るとともに、ニードルが刺さって怪我をすることや液剤内容物が汚染されることにもつながり得る。
【発明の概要】
【課題を解決するための手段】
【０００３】
本発明は、薬瓶とともに使用する液剤移送アセンブリに関する。この薬瓶は、薬剤内容物を収容する薬瓶ボトルを含み、薬瓶は、薬瓶ストッパによって栓をされる薬瓶開口部を有する。薬剤内容物は、典型的には、粉末状薬剤内容物であるが、その一方で、さまざまな粘性を有する液剤内容物とすることができる。液剤移送アセンブリは、薬瓶ストッパ穿刺部材と、薬瓶アダプタとを備える。薬瓶アダプタは、実質的に円筒形の薬瓶アダプタスカートを有し、薬瓶アダプタスカートは、薬瓶アダプタ頂面と、薬瓶開口部を入れ子式に摺動的に受け入れる薬瓶アダプタ本体部分と、薬瓶アダプタスカート縁部と、を有する。薬瓶アダプタの頂面は、直立する薬瓶アダプタポートと、薬瓶アダプタポートと反対側の、薬瓶アダプタポートと流れ連通する、垂下した薬瓶アダプタスリーブと、によって形成される。液瓶アダプタスカートは、オプションとしては、少なくとも２つの多数の液瓶アダプタ柔軟部材から形成され得る。薬瓶アダプタスカートは、オプションとしては、薬瓶開口部にスナップ嵌めするための内側に向けられた複数の突出部を備える。薬瓶アダプタスカート縁部は、オプションとしては、薬瓶アダプタを薬瓶上で案内するのを補助するために、液瓶アダプタ本体部分に対して外側に広がっていてもよい。薬瓶アダプタは、薬瓶ストッパ穿刺部材に摺動的に配置され、その結果、その薬瓶ストッパ穿刺部材は、薬瓶アダプタスリーブを越えて、液剤移送アセンブリのセットアップ位置に突き出る。
【０００４】
液剤移送アセンブリは、薬瓶ストッパ穿刺部材が薬瓶ストッパを穿刺して貫通穿刺穴を形成するとともに、薬瓶アダプタスリーブが薬瓶ストッパを貫通する穿刺穴と直線上に並ぶように、薬瓶に取り付けられる。薬瓶アダプタスリーブは、薬瓶ストッパ穿刺部材が薬瓶ストッパから取り外される際に薬瓶ストッパが自己シールされることを阻止する。それによって、薬瓶ボトルと薬瓶アダプタポートとの連続的な流れ連通が維持される。薬瓶アダプタスリーブは、また、薬瓶ストッパの残った部分が薬瓶内の液剤内容物を汚染することを防止する。薬瓶ボトルと流れ連通するために、適切な医療デバイスを薬瓶アダプタポートに容易に取り付けることができる。適切な医療デバイスには、とりわけ、ニードルレス注射器、投与ラインなどが含まれる。
【０００５】
薬瓶ストッパ穿刺部材は、２端部２内腔線形移送スパイクの一方の端部として構成されることができる。この線形移送スパイクは、液体内容物を収容する液瓶の液瓶ストッパを穿刺するための、反対側の液瓶ストッパ穿刺部材を備える。液体内容物は、典型的には、希釈剤であるが、その一方で、活性薬剤成分を含むことができる。そのような２端部２内腔線形移送スパイクによって、液剤投与の目的で液剤内容物を薬瓶内に形成するために液瓶から薬瓶まで重力による液体移送を行い、同時に、均圧化のために薬瓶から液瓶まで空気を移送することが可能になる。
【０００６】
２端部２内腔線形移送スパイクは、液瓶に取り付けるために、液瓶アダプタと一体的に形成され得る。あるいは、２端部２内腔線形移送スパイクは、液瓶に取り付けるための別体の液瓶アダプタと共に使用するために液剤移送デバイスと一体的に形成され得る。それによって、薬瓶アダプタを含む３つの構成部品を有する液剤移送アセンブリが形成される。液剤移送デバイスは、２端部２内腔線形移送スパイクに沿った途中に設けられるとともに、横方向に向けられた離隔カラー（環状部品）と、縦方向に向けられた少なくとも２つの薬瓶脚部と、縦方向に向けられた少なくとも２つの液瓶脚部であって、縦方向に向けられた少なくとも２つの薬瓶脚部と反対の方向に向けられた少なくとも２つの液瓶脚部と、を備える。薬瓶脚部および液瓶脚部は、それらのそれぞれの瓶ストッパに対して、それらの対応する薬瓶ストッパ穿刺先端と液瓶ストッパ穿刺先端とを中心に配置する目的で使用される。
【０００７】
本発明を理解し、それがどのように実施できるかを理解するために、次に、好ましい諸実施例について、非限定的な例示の目的で添付の図面を参照して説明する。添付の図面では、同様の部分には同様の番号が付されている。
【図面の簡単な説明】
【０００８】
【図１】第１の好ましい実施例としての、薬瓶ストッパ穿刺部材および薬瓶アダプタを備える液剤移送アセンブリと、液剤移送アセンブリを長期間保存するためのブリスターパックと、ニードルレス注射器と、薬瓶と、を示す図である。
【図２】図１の液剤移送アセンブリの分解図である。
【図３】初期使用準備状態にある図１の液剤移送アセンブリの、図１のＡ−Ａ線に沿った縦断面図である。
【図４Ａ】図１の液剤移送アセンブリの縦断面図であり、アセンブリは、セットアップ位置にあり、アセンブリにスナップ嵌めする準備がなされた薬瓶と同軸に配置されている。
【図４Ｂ】最初に薬瓶に向けて押し下げられた状態の図１の液剤移送アセンブリの縦断面図である。
【図４Ｃ】薬瓶アダプタが薬瓶に完全にスナップ嵌めされた状態の図１の液剤移送アセンブリの縦断面図である。
【図４Ｄ】薬瓶ストッパ穿刺部材が取り外された状態の図１の液剤移送アセンブリの縦断面図である。
【図５】図１の液剤移送アセンブリの代替の実施例の縦断面図であり、このアセンブリは、液剤アクセスポートとインラインフィルタとを有する薬瓶ストッパ穿刺部材を備えている。
【図６】図１の薬瓶アダプタの別の代替の実施例の縦断面図であり、この薬瓶アダプタは、薬瓶アダプタ頂面に取り付けられた薬瓶アダプタスリーブ部品を備えている。
【図７】第２の好ましい実施例としての、液瓶アダプタおよび薬瓶アダプタを備える液剤移送アセンブリと、液剤移送アセンブリを長期間保存するためのブリスターパックと、ニードルレス注射器と、薬瓶と、液瓶と、を示す図である。
【図８】図７の液剤移送アセンブリの分解図である。
【図９】初期使用準備状態にある図７の液剤移送アセンブリの、図７のＢ−Ｂ線に沿った縦断面図である。
【図１０Ａ】図７の液剤移送アセンブリを示し、このアセンブリは、アセンブリにスナップ嵌めする準備がなされた薬瓶と同軸である。
【図１０Ｂ】薬瓶にスナップ嵌めされた図７の液剤移送アセンブリを示す。
【図１０Ｃ】液瓶にスナップ嵌めする準備がなされた図１０Ｂの組立体を逆さまにした状態を示す。
【図１０Ｄ】液瓶にスナップ嵌めされた図１０Ｂの組立体を示す。
【図１０Ｅ】図１０Ｄの組立体を示し、この組立体は、重力によって液瓶から薬瓶まで液体を移送して薬瓶内で液剤内容物を形成することを可能にするとともに薬瓶から液瓶まで通気させるために逆さまの位置にある。
【図１０Ｆ】液瓶アダプタとその取り付けられた空の液瓶とを取り外した後の、液剤内容物を収容する薬瓶に取り付けられた薬瓶アダプタを示す。
【図１０Ｇ】投与の目的で液剤内容物を薬瓶から吸引するためのニードルレス注射器の使用方法を示す。
【図１１】第３の好ましい実施例としての、液剤移送デバイスと薬瓶アダプタと最初の使用準備状態にある液瓶アダプタとを備える液剤移送アセンブリと、液剤移送アセンブリを長期間保存するためのブリスターパックと、ニードルレス注射器と、薬瓶と、液瓶と、を示す図である。
【図１２】図１１の液剤移送アセンブリの斜視図である。
【図１３】図１１の液剤移送アセンブリの分解図と、液剤移送デバイスの２端部２内腔線形移送スパイクの拡大横断面図である。
【図１４】初期使用準備状態にある図１１の液剤移送アセンブリの図１１のＣ−Ｃ線に沿った縦断面図である。
【図１５Ａ】図１１の液剤移送アセンブリの縦断面図であり、このアセンブリは、アセンブリにスナップ嵌めする準備がなされた薬瓶と同軸である。
【図１５Ｂ】液剤移送アセンブリが薬瓶に向けて最初に押し下げられた状態の図１１の液剤移送アセンブリの縦断面図である。
【図１５Ｃ】液剤移送アセンブリが薬瓶に向けてさらに押し下げられた状態の図１１の液剤移送アセンブリの縦断面図である。
【図１５Ｄ】液剤移送アセンブリが薬瓶に向けて一層さらに押し下げられた状態の図１１の液剤移送アセンブリの縦断面図である。
【図１５Ｅ】薬瓶アダプタが薬瓶に完全にスナップ嵌めされた状態の図１１の液剤移送アセンブリの縦断面図である。
【図１５Ｆ】図１１の液剤移送アセンブリの縦断面図であり、薬瓶と液瓶との両方が、液剤移送デバイスと液瓶アダプタとのスナップ嵌め係合を含んで完全にスナップ嵌めされた状態を示す。
【図１６Ａ】図１１の液剤移送アセンブリを示し、このアセンブリは、アセンブリにスナップ嵌めする準備がなされた薬瓶と同軸である。
【図１６Ｂ】薬瓶にスナップ嵌めされた図１１の液剤移送アセンブリを示す。
【図１６Ｃ】液瓶にスナップ嵌めする準備がなされた図１６Ｂの組立体を逆さまにした状態を示す。
【図１６Ｄ】液瓶にスナップ嵌めされた図１６Ｂの組立体を示す。
【図１６Ｅ】図１６Ｄの組立体を示し、この組立体は、重力によって液瓶から薬瓶まで液体を移送して薬瓶内で液剤内容物を形成することを可能にするとともに薬瓶から液瓶まで通気させるために逆さまの位置にある。
【図１６Ｆ】液剤移送デバイスおよび液剤アダプタと、その取り付けられた空の液瓶と、を取り外した後の、液剤内容物を収容する薬瓶に取り付けられた薬瓶アダプタを示す。
【図１６Ｇ】投与の目的で液剤内容物を薬瓶から吸引するためのニードルレス注射器の使用方法を示す。
【発明を実施するための形態】
【０００９】
図１は、ニードルレス注射器１０および薬瓶２０とともに使用するための液剤移送アセンブリ１００Ａを示す。注射器１０は、プランジャー１２と雄ルアーロックコネクタ１３とを有するバレル１１を備える。注射器１０は、他の種類の雄コネクタを使用して形成されてもよい。注射器１０は、液体内容物１４によって満たされる。液体内容物１４は、希釈剤のみとすることができる。あるいは、液体内容物１４は、活性成分を含むことができる。薬瓶２０は、長手方向（縦方向）の薬瓶軸線２０Ａを有しており、薬瓶ボトル２１を備えている。薬瓶ボトル２１は、薬瓶肩部２２と、薬瓶ストッパ２４によってシールされる薬瓶開口部２３と、を有する。薬瓶開口部２３は、最上部および最外部の薬瓶リム２６を有している。薬瓶２０は、薬剤内容物２７を収容している。液剤移送アセンブリ１００Ａは、好ましくは、内部面１０２と保護シール部１０３とを有するブリスターパック１０１Ａに包装される。
【００１０】
図１〜３は、薬瓶ストッパ穿刺部材１１０を備える液剤移送アセンブリ１００Ａを示す。薬瓶ストッパ穿刺部材１１０は、縦方向の薬瓶ストッパ穿刺部材軸線１１１と、薬瓶アダプタ１２０とを有する。ブリスターパック１０１Ａは、液剤移送アセンブリ１００Ａを内部に密着させる形状および寸法を有しており、薬瓶２０に液剤移送アセンブリ１００Ａを取り付けるために使用される。薬瓶ストッパ穿刺部材１１０は、薬瓶ストッパ２４を穿刺するための薬瓶ストッパ穿刺先端１１２と、横方向に向けられた頭部１１３と、を有する。
【００１１】
薬瓶アダプタ１２０は、縦方向の薬瓶アダプタ軸線１２１を有しており、薬瓶アダプタスカート１２２を備えている。薬瓶アダプタスカート１２２は、直立する薬瓶アダプタポート１２４を有するように形成された、横方向に向けられた（横方向に面が広がる）薬瓶アダプタ頂面１２３と、６つの多数の垂下した薬瓶アダプタ柔軟部材１２６と、を有する。薬瓶アダプタ柔軟部材１２６は、薬瓶開口部２３の下でスナップ嵌めするために内部に向けられた複数の突出部１２７が設けられており、薬瓶開口部２３を密接して受け入れるための薬瓶アダプタ本体部分１２８を形成している。薬瓶アダプタ柔軟部材１２６は、薬瓶アダプタ１２０を薬瓶２０上で案内する補助となるための、薬瓶アダプタ本体部分１２８に対して外側に広がった薬瓶アダプタスカート縁部１２９を形成する。薬瓶アダプタポート１２４は、好ましくは、ニードルレス注射器１０とねじ係合するための雌ルアーコネクタとして実施される。あるいは、薬瓶アダプタポート１２４は、例えば、粘性を有する液剤内容物が薬瓶２０から重力によって流れることを可能にするための大きな直径を有するように形成され得る。
【００１２】
薬瓶アダプタ１２０は、また、薬瓶アダプタスリーブ１３１を備える。薬瓶アダプタスリーブ１３１は、薬瓶アダプタポート１２４と反対側に垂下しており、薬瓶アダプタポート１２４と流れ連通する。薬瓶アダプタポート１２４と薬瓶アダプタスリーブ１３１とを備える薬瓶アダプタ１２０は、同一の適切なプラスチック材料によって作製される、単一のプラスチック射出成形ユニットとして形成されることができ、このようなプラスチック材料としては、例えばポリカーボネートなどを使用できる。薬瓶アダプタスリーブ１３１は、薬瓶ストッパ穿刺先端１１２の手前で、液剤移送アセンブリ１００Ａの初期セットアップ位置で止まる。その結果、薬瓶ストッパ穿刺先端１１２は、薬瓶アダプタスリーブ１３１を越えて突出する。したがって、薬瓶ストッパ穿刺先端１１２は、液剤移送アセンブリ１００Ａを薬瓶２０に取り付ける際に、薬瓶アダプタスリーブ１３１よりも前に薬瓶ストッパ２４と接触する。
【００１３】
図４Ａ〜４Ｄは、以下のように液剤復元および液剤投与を行うための液剤移送アセンブリ１００Ａの使用方法を示す。
【００１４】
図４Ａは、液剤移送アセンブリ１００Ａを示し、図示する液剤移送アセンブリ１００Ａは、液剤移送アセンブリ１００Ａを薬瓶２０に向けて押し下げることによって薬瓶２０にスナップ嵌めするための最初の使用準備状態にある。
【００１５】
図４Ｂは、液剤移送アセンブリ１００Ａを薬瓶２０に向けて最初に押し下げる様子を示しており、これと同時に、薬瓶アダプタスカート縁部１２９によって、薬瓶アダプタ１２０が薬瓶２０と同軸に整合されるとともに、薬瓶ストッパ穿刺先端１１２が薬瓶ストッパ２４を穿刺し始める。
【００１６】
図４Ｃは、液剤移送アセンブリ１００Ａを薬瓶２０に完全にスナップ嵌めした様子を示しており、薬瓶ストッパ穿刺部材１１０は、薬瓶ストッパ２４を完全に貫通して、貫通穿刺穴Ｐを形成している。
【００１７】
図４Ｄは、薬瓶アダプタ１２０を所定位置に残したままで、薬瓶ストッパ穿刺部材１１０を薬瓶２０から取り外した様子を示す。薬瓶アダプタスリーブ１３１は、穿刺穴Ｐと直線上に並び、薬瓶ストッパ２４が自己シールされることを防止する。薬瓶アダプタスリーブ１３１は、また、薬瓶ストッパの残った部分が薬瓶ボトルに落ちて瓶内容物を汚染することを防止する。ニードルレス注射器１０は、復元または希釈の目的でその内容物を薬瓶ボトル２１に注入するために雌ルアーコネクタ１２４に容易に取り付けることができる。
【００１８】
図５は、薬瓶ストッパ穿刺部材１１０を備える液剤移送アセンブリ１００Ａを示す。薬瓶ストッパ穿刺部材１１０は、長手（縦）方向の内腔１１６を有する液剤アクセスポート１１４を備える。内腔１１６は、薬瓶ストッパ２４を穿刺する際に薬瓶ボトル２１への流れ連通アクセスを可能にする。液剤アクセスポート１１４は、オプションとしては、雌ルアーコネクタとして形成することができる。液剤アクセスポート１１４および／または縦方向の内腔１１６は、オプションとしては、インライン（一列に並んだ）フィルタ１１７を有するように形成され得る。
【００１９】
図６は、薬瓶アダプタ１２０の代替の実施例を示す。この薬瓶アダプタ１２０は、薬瓶アダプタ頂面１２３に取り付けられた薬瓶アダプタスリーブ構成要素１３３を備える。薬瓶アダプタスリーブ構成要素１３３は、薬瓶アダプタ１２０の他の部分と異なる材料で形成され得る。適切な材料には、とりわけ、エラストマー材料、金属、ネオプレン織布、ゴム、シリコーン、ガラスなどが含まれる。
【００２０】
図７は、液剤移送アセンブリ１００Ｂを示す。この液剤移送アセンブリ１００Ｂは、空の注射器１０と、薬瓶２０と、液瓶３０とともに使用される。液瓶３０は、長手（縦）方向の軸線３０Ａを有しており、液瓶ボトル３１を備えている。液瓶ボトル３１は、液瓶肩部３２と、液瓶ストッパ３４によって栓をされる液瓶開口部３３と、を有している。液瓶開口部３３は、最上部および最外部の液瓶リム３６を有している。液瓶３０は、薬剤内容物２７に添加するための液体内容物３７を収容する。液剤移送アセンブリ１００Ｂは、好ましくは、液剤移送アセンブリ１００Ｂを内部に密着させる形状および寸法を有するブリスターパック１０１Ｂであって、その密着の実施に使用されるブリスターパック１０１Ｂに包装される。
【００２１】
図７〜９は、液剤移送アセンブリ１００Ｂを示し、この液剤移送アセンブリ１００Ｂは、薬瓶アダプタ１２０と液瓶アダプタ１４０とを備えている。液瓶アダプタ１４０は、長手（縦）方向の液瓶アダプタ軸線１４１を有しており、液瓶アダプタスカート１４２を備えている。液瓶アダプタスカート１４２は、６つの多数の垂下した液瓶アダプタ柔軟部材１４４によって形成された、横方向に向けられた液瓶アダプタ頂面１４３を有している。液瓶アダプタ柔軟部材１４４は、液瓶開口部３３の下でスナップ嵌めするために内部に向けられた複数の突出部１４６が設けられており、液瓶開口部３３を密接して受け入れるための液瓶アダプタ本体部分１４７を形成している。液瓶アダプタ柔軟部材１４４は、液瓶アダプタ１４０を液瓶３０上で案内する補助となるための、液瓶アダプタ本体部分１４７に対して外側に広がった液瓶アダプタスカート縁部１４８を形成する。
【００２２】
液瓶アダプタ１４０は、また、２端部２内腔線形移送スパイク１５１を備えている。線形移送スパイク１５１は、薬瓶ストッパ２４を穿刺するための薬瓶ストッパ穿刺部材１５２と、液瓶ストッパ３４を穿刺するための、反対側の液瓶ストッパ穿刺部材１５３と、を有している。薬瓶ストッパ穿刺部材１５２は、液瓶アダプタスカート１４２から離れた位置で液瓶アダプタ頂面１４３から延在する。薬瓶ストッパ穿刺部材１５２は、薬瓶ストッパ穿刺先端１５４のところに末端が位置し、薬瓶ストッパ穿刺先端１５４は、液瓶アダプタ１４０を薬瓶アダプタ１２０に取り付けた際に薬瓶アダプタスリーブ１３１を越えて延在する。液瓶ストッパ穿刺部材１５３は、液瓶アダプタ頂面１４３から液瓶アダプタスカート１４２の中に延在する。液瓶ストッパ穿刺部材１５３は、液瓶ストッパ穿刺先端１５６のところに末端が位置する。２端部２内腔線形移送スパイク１５１は、液瓶３０から薬瓶２０まで液体を移送するための液体移送内腔１５７と、均圧化の目的で薬瓶２０から液瓶３０まで空気を移送するための空気移送内腔１５８と、を備える。
【００２３】
図１０Ａ〜１０Ｇは、以下のように液剤復元および液剤投与を行うための液剤移送アセンブリ１００Ｂの使用方法を示す。
【００２４】
図１０Ａは、液剤移送アセンブリ１００Ｂを示し、図示する液剤移送アセンブリ１００Ｂは、液剤移送アセンブリ１００Ｂを薬瓶２０に向けて押し下げることによって薬瓶２０にスナップ嵌めするための最初の使用準備状態にある。
【００２５】
図１０Ｂは、液剤移送アセンブリ１００Ｂを完全にスナップ嵌めした様子を示しており、薬瓶ストッパ穿刺部材１５２は、薬瓶ストッパ２４を完全に貫通して、貫通穿刺穴Ｐを形成している。
【００２６】
図１０Ｃは、液瓶アダプタ１４０を液瓶３０にスナップ嵌めする準備がなされた図１０Ｂの組立体を逆さまにした様子を示す。
【００２７】
図１０Ｄは、薬瓶２０を有する液剤移送アセンブリ１００Ｂを液瓶３０に完全にスナップ嵌めした様子を示す。
【００２８】
図１０Ｅは、液瓶３０から薬瓶２０まで重力によって液体を移送して液剤内容物ＬＤを薬瓶２０内に形成することを可能にするとともに、薬瓶２０から液瓶３０まで通気させるために、図１０Ｄの組立体を逆さまにした様子を示す。ユーザは、図１０Ｄの組立体を緩やかに撹拌して、薬剤内容物および液体内容物に応じて復元または希釈を容易に行うことができる。
【００２９】
図１０Ｆは、液瓶アダプタ１４０を、その取り付けられた空の液瓶３０とともに取り外して液剤内容物ＬＤを有する薬瓶２０を残した様子を示す。薬瓶アダプタスリーブ１３１は、穿刺穴Ｐと直線上に並んで、薬瓶ストッパが自己シールされることを防止する。薬瓶アダプタスリーブ１３１は、また、薬瓶ストッパの残った部分が薬瓶ボトルに落ちて内容物を汚染することを防止する。
【００３０】
図１０Ｇは、投与の目的で液剤内容物ＬＤを薬瓶２０から吸引するためのニードルレス注射器１０の使用方法を示す。
【００３１】
図１１〜１４は、液剤移送アセンブリ１００Ｃを示す。この液剤移送アセンブリ１００Ｃは、空の注射器１０と、薬瓶２０と、液瓶３０と、ともに使用される。液剤移送アセンブリ１００Ｃは、３つの構成要素を有する構成を有しており、薬瓶アダプタ１６０と、液瓶アダプタ１７０と、液剤移送デバイス１８０とを備えている。液剤移送デバイス１８０は、長手（縦方）向の液剤移送デバイス軸線１８１を有している。液剤移送アセンブリ１００Ｃは、好ましくは、液剤移送アセンブリ１００Ｃを内部に密着させる形状および寸法を有するブリスターパック１０１Ｃであって、その密着の実施に使用されるブリスターパック１０１Ｃに包装される。
【００３２】
薬瓶アダプタ１６０は、薬瓶アダプタ１２０と同一の構成を有しており、したがって、同様の部分には、同様の番号が付されている。薬瓶アダプタ１６０は、薬瓶アダプタ１６０が、対向する一対の薬瓶アダプタ柔軟部材１６１を備えている限りにおいて、薬瓶アダプタ１２０と異なっている。薬瓶アダプタ柔軟部材１６１は、薬瓶アダプタ本体部分１２８の領域に薬瓶脚部先端貫通孔１６２を有するように形成されている。また、薬瓶アダプタ柔軟部材１６１は、薬瓶アダプタスカート縁部１２９の領域において、薬瓶アダプタ柔軟部材１２６の畦状の面と向かうように平滑な外部面１６３を有している。
【００３３】
液瓶アダプタ１７０は、液瓶アダプタ１４０と同一の構成を有しており、したがって、同様の部分には、同様の番号が付されている。液瓶アダプタ１７０は、液瓶アダプタ１７０が、対向する一対の液瓶アダプタ柔軟部材１７１を備えている限りにおいて、液瓶アダプタ１４０と異なっている。液瓶アダプタ柔軟部材１７１は、液瓶アダプタ本体部分１４７の領域に液瓶脚部先端貫通孔１７２を有するように形成されている。また、液瓶アダプタ柔軟部材１７１は、液瓶アダプタスカート縁部１４８の領域において、液瓶アダプタ柔軟部材１４４の畦状の面と向かい合うように平滑な外部面１７３を有している。
【００３４】
また、加えて、液瓶アダプタ１７０は、２端部２内腔線形移送スパイク１５１を有することなく形成されており、その代わりに、直立した管状部材１７４を有している。管状部材１７４は、液瓶アダプタスカート１４２から離れて、液瓶アダプタ頂面１４３から延在している。管状部材１７４は、横方向に向けられたフランジ１７６を備えている。
【００３５】
液剤移送デバイス１８０は、２端部２内腔線形移送スパイク１５１と同様の構成を有しており、したがって、同様の部分には、同様の番号が付されている。液剤移送デバイス１８０は、薬瓶ストッパ穿刺部材１５２を備えており、薬瓶ストッパ穿刺部材１５２は、薬瓶ストッパ穿刺先端１５４のところに末端が位置し、反対側の液瓶ストッパ穿刺部材１５３は、液瓶ストッパ穿刺先端１５６のところに末端が位置する。液剤移送デバイス１８０は、液体移送内腔１５７と空気移送内腔１５８とを備えている。液体移送内腔１５７は、空気移送内腔１５８よりも大きな内腔断面を有している。液体移送内腔１５７は、空気移送内腔１５８の周りを部分的に包む略三日月状の横断面を有しており、それによって、薬瓶ストッパ２４および液瓶ストッパ３４を容易に穿刺するために移送スパイクの総断面積が縮小される。
【００３６】
液剤移送デバイス１８０は、さらに、横方向に向けられた離隔カラー１８２が液剤移送デバイス１８０に沿った途中にしっかりと取り付けられて形成されている。縦方向に向けられた一対の薬瓶脚部１８３が、離隔カラー１８２にヒンジ接続されており、薬瓶ストッパ穿刺部材１５２と同一方向に、薬瓶ストッパ穿刺部材１５２から間隔を隔てて延在しており、縦方向に向けられた一対の液瓶脚部１８４が、離隔カラー１８２にヒンジ接続されており、液瓶ストッパ穿刺部材１５３と同一方向に、液瓶ストッパ穿刺部材１５３から間隔を隔てて延在している。薬瓶脚部１８３は、薬瓶脚部先端１８６のところに末端が位置しており、薬瓶脚部先端１８６は、薬瓶ストッパ穿刺先端１５４と同じ位置まで延在するとともに薬瓶ストッパ穿刺先端１５４に向けて内側に突出している。薬瓶脚部先端１８６は、最初に貫通孔１６２に挿入されることが意図されている。液瓶脚部１８４は、液瓶脚部先端１８７のところに末端が位置しており、液瓶脚部先端１８７は、液瓶ストッパ穿刺先端１５６と同じ位置まで延在するとともに液瓶ストッパ穿刺先端１５６に向けて内側に突出している。液瓶脚部先端１８７は、最初に貫通孔１７２に挿入されることが意図されている。
【００３７】
液瓶脚部１８４は、好ましくは、それぞれ、外側に向けられた一対の液瓶脚部突出部１８８を有して形成される。液瓶脚部突出部１８８は、液剤移送アセンブリ１００Ｃの薬瓶２０へのスナップ嵌めを補助するために、ブリスターパック１０１Ｃの内部面１０２に当接する。
【００３８】
液剤移送アセンブリ１００Ｃは、液瓶アダプタ１４０を液瓶３０にスナップ嵌めする際に液瓶アダプタ１４０を離隔カラー１８２に機械的に取り付けるためのスナップ嵌構成１９０を備えている。スナップ嵌構成１９０は、管状部材１７４と、横方向に向けられたフランジ１７６にスナップ嵌めするための一対のスナップ部材１９１を有する離隔カラー１８２と、によって構成される。
【００３９】
図１５Ａ〜１５Ｅは、薬瓶２０にスナップ嵌めするための液剤移送アセンブリ１００Ｃの操作を示す。
【００４０】
図１５Ａは、液剤移送アセンブリ１００Ｃを示し、この液剤移送アセンブリ１００Ｃは、液剤移送アセンブリ１００Ｃにスナップ嵌めする準備がなされた薬瓶２０と同軸である。
【００４１】
図１５Ｂは、液剤移送アセンブリ１００Ｃを薬瓶２０に向けて最初に押し下げる様子を示す。薬瓶脚部先端１８６は、薬瓶アダプタスカート縁部１２９を押圧して、薬瓶アダプタ１２０を薬瓶２０と同軸に整合させ、薬瓶ストッパ穿刺先端１５６が薬瓶ストッパ２４を穿刺し始める。
【００４２】
図１５Ｃは、液剤移送アセンブリ１００Ｃを薬瓶２０に向けてさらに押し下げる様子を示す。この押し下げによって、薬瓶アダプタ１２０が薬瓶２０に完全にスナップ嵌めされ、薬瓶ストッパ２４を完全に穿刺して貫通穿刺穴Ｐが形成される。薬瓶アダプタスリーブ１３１は、穿刺穴Ｐに沿って直線上に並ぶ。薬瓶リム２６は、薬瓶脚部先端１８６をそれらのそれぞれの薬瓶脚部先端貫通孔１６２から外側に押圧し始める。
【００４３】
図１５Ｄは、液剤移送アセンブリ１００Ｃを薬瓶２０に向けて一層さらに押し下げる様子を示す。この押し下げによって、薬瓶脚部先端１８６が、それらのそれぞれの薬瓶脚部先端貫通孔１６２から退かせられ、その結果、液剤移送デバイス１８０は、薬瓶アダプタ１２０対して自由に摺動的に下方に移動するようになる。薬瓶脚部先端１８６は、それらのそれぞれの薬瓶アダプタ柔軟部材１６１の平滑な外部面１６３を下方に摺動し始める。
【００４４】
図１５Ｅは、液剤移送アセンブリ１００Ｃを薬瓶２０に向けてより一層さらに押し下げる様子を示す。この押し下げによって、薬瓶脚部先端１８６が薬瓶アダプタスカート縁部１２９上に静止される。
【００４５】
液剤移送アセンブリ１００Ｃは、それが薬瓶２０にスナップ嵌めされるのと同様の方法で、液瓶３０にスナップ嵌めされる。液剤移送デバイス１８０は、さらに、液剤内容物を薬瓶２０内に形成した後に２つの構成要素と空の液瓶３０とを便利に取り外しできるようにするために、液瓶アダプタ１４０にスナップ嵌めされる。
【００４６】
図１５Ｆは、スナップ嵌構成１９０、すなわち、管状部材１７４のフランジ１７６にスナップ嵌めするスナップ嵌部材１９１の操作を示す。
【００４７】
図１６Ａ〜１６Ｇは、次のように液剤復元および液剤投与を行うための液剤移送アセンブリ１００Ｃの使用方法を示す。
【００４８】
図１６Ａは、液剤移送アセンブリ１００Ｃを示し、この液剤移送アセンブリ１００Ｃは、
液剤移送アセンブリ１００Ｃを薬瓶２０に向けて押し下げることによって薬瓶２０にスナップ嵌めするための最初の使用準備状態にある。
【００４９】
図１６Ｂは、液剤移送アセンブリ１００Ｃを薬瓶２０に向けて押し下げる様子を示す。この押し下げによって、液剤移送デバイス１８０は薬瓶アダプタ１２０を下方に押圧して薬瓶２０にスナップ嵌めし、薬瓶ストッパ穿刺部材１５２は薬瓶ストッパ２４を穿刺し、薬瓶アダプタスリーブ１３１は穿刺穴Ｐと直線上に並ぶ。また、液剤移送デバイス１８０を下方に移動させることによって、薬瓶脚部先端１８６が薬瓶アダプタ１２０から外側に押圧され、薬瓶アダプタスカート縁部１２９上に静止する。
【００５０】
図１６Ｃは、液瓶３０にスナップ嵌めするために図１６Ｂの組立体を逆さまにした様子を示す。
【００５１】
図１６Ｄは、液剤移送アセンブリ１００Ｃを液瓶３０に向けて押し下げる様子を示す。この押し下げによって、液剤移送デバイス１８０は液瓶アダプタ１４０を下方に押圧して液瓶３０にスナップ嵌めされ、液瓶穿刺部材１５３は薬瓶ストッパ２４を穿刺する。また、液剤移送デバイス１８０を下方に移動させることによって、液瓶脚部先端１８７が液瓶アダプタ１４０から外側に押圧され、液瓶アダプタスカート縁部１４８上に静止する。かかる下方への移動は、また、スナップ嵌構成１９０を液剤移送デバイス１８０と液瓶アダプタ１４０との間で作動させる。
【００５２】
図１６Ｅは、液瓶３０から薬瓶２０まで重力によって液体を移送して液剤内容物ＬＤを薬瓶２０内に形成することを可能にするとともに、薬瓶２０から液瓶３０まで通気させるために、図１６Ｄの組立体を逆さまにした様子を示す。ユーザは、図１６Ｄの組立体を緩やかに撹拌して、液剤内容物ＬＤの復元または希釈を容易に行うことができる。
【００５３】
図１６Ｆは、液剤移送デバイス１８０を液剤アダプタ１４０およびその取り付けられた空の液瓶３０とともに取り外した後の、液剤内容物ＬＤを収容する薬瓶２０に取り付けられた薬瓶アダプタ１２０を示す。
【００５４】
図１６Ｇは、投与の目的で液剤内容物ＬＤを薬瓶２０から吸引するためのニードルレス注射器１０の使用方法を示す。
【００５５】
本発明が限られた数の実施例に関して説明されたものの、本発明の多くの変形、修正および適用が添付の特許請求の範囲の範囲内でなされることが理解されよう。
【符号の説明】
【００５６】
１０…ニードルレス注射器
１１…バレル
１２…プランジャー
１３…雄ルアーロックコネクタ
１４…液体内容物
２０…薬瓶
２０Ａ…薬瓶軸線
２１…薬瓶ボトル
２２…薬瓶肩部
２３…薬瓶開口部
２４…薬瓶ストッパ
２６…薬瓶リム
２７…薬剤内容物
３０…液瓶
３０Ａ…軸線
３１…液瓶ボトル
３２…液瓶肩部
３３…液瓶開口部
３４…液瓶ストッパ
３６…液瓶リム
３７…液体内容物
１００Ａ，１００Ｂ，１００Ｃ…液剤移送アセンブリ
１０１Ａ，１０１Ｂ，１０１Ｃ…ブリスターパック
１０２…内部面
１０３…保護シール部
１１０…薬瓶ストッパ穿刺部材
１１１…薬瓶ストッパ穿刺部材軸線
１１２…薬瓶ストッパ穿刺先端
１１３…頭部
１１４…液剤アクセスポート
１１６…内腔
１１７…フィルタ
１２０…薬瓶アダプタ
１２１…薬瓶アダプタ軸線
１２２…薬瓶アダプタスカート
１２３…薬瓶アダプタ頂面
１２４…薬瓶アダプタポート（雌ルアーコネクタ）
１２６…薬瓶アダプタ柔軟部材
１２７…突出部
１２８…薬瓶アダプタ本体部分
１２９…薬瓶アダプタスカート縁部
１３１…薬瓶アダプタスリーブ
１３３…薬瓶アダプタスリーブ構成要素
１４０…液瓶アダプタ
１４１…液瓶アダプタ軸線
１４２…液瓶アダプタスカート
１４３…液瓶アダプタ頂面
１４４…液瓶アダプタ柔軟部材
１４６…突出部
１４７…液瓶アダプタ本体部分
１４８…液瓶アダプタスカート縁部
１５１…線形移送スパイク
１５２…薬瓶ストッパ穿刺部材
１５３…液瓶ストッパ穿刺部材
１５４…薬瓶ストッパ穿刺先端
１５６…液瓶ストッパ穿刺先端
１５７…液体移送内腔
１５８…空気移送内腔
１６０…薬瓶アダプタ
１６１…薬瓶アダプタ柔軟部材
１６２…薬瓶脚部先端貫通孔
１６３…外部面
１７０…液瓶アダプタ
１７１…液瓶アダプタ柔軟部材
１７２…液瓶脚部先端端通孔
１７３…外部面
１７４…管状部材
１７６…フランジ
１８０…液剤移送デバイス
１８１…液剤移送デバイス軸線
１８２…離隔カラー
１８３…薬瓶脚部
１８４…液瓶脚部
１８６…薬瓶脚部先端
１８７…液瓶脚部先端
１８８…液瓶脚部突出部
１９０…スナップ嵌構成
１９１…スナップ嵌部材
Ｐ…貫通穿刺穴
ＬＤ…液剤内容物
【図１】
0005681834.tif 000002
【図２】
0005681834.tif 000003
【図３】
0005681834.tif 000004
【図４Ａ】
0005681834.tif 000005
【図４Ｂ】
0005681834.tif 000006
【図４Ｃ】
0005681834.tif 000007
【図４Ｄ】
0005681834.tif 000008
【図５】
0005681834.tif 000009
【図６】
0005681834.tif 000010
【図７】
0005681834.tif 000011
【図８】
0005681834.tif 000012
【図９】
0005681834.tif 000013
【図１０Ａ】
0005681834.tif 000014
【図１０Ｂ】
0005681834.tif 000015
【図１０Ｃ】
0005681834.tif 000016
【図１０Ｄ】
0005681834.tif 000017
【図１０Ｅ−１０Ｆ】
0005681834.tif 000018
【図１０Ｇ】
0005681834.tif 000019
【図１１】
0005681834.tif 000020
【図１２】
0005681834.tif 000021
【図１３】
0005681834.tif 000022
【図１４】
0005681834.tif 000023
【図１５Ａ】
0005681834.tif 000024
【図１５Ｂ】
0005681834.tif 000025
【図１５Ｃ】
0005681834.tif 000026
【図１５Ｄ】
0005681834.tif 000027
【図１５Ｅ】
0005681834.tif 000028
【図１５Ｆ】
0005681834.tif 000029
【図１６Ａ】
0005681834.tif 000030
【図１６Ｂ】
0005681834.tif 000031
【図１６Ｃ】
0005681834.tif 000032
【図１６Ｄ】
0005681834.tif 000033
【図１６Ｅ−１６Ｆ】
0005681834.tif 000034
【図１６Ｇ】
0005681834.tif 000035